【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
画像形成システムであって、
シートに画像を形成する画像形成装置と、
前記画像形成装置が排出するシートの前または後に合紙を挿入する挿入装置と、
前記画像が形成されたシートと前記挿入装置により挿入された合紙を積載する積載装置と、を有し、
前記画像形成装置は、
シートを給送するシート給送手段と、
前記シート給送手段により給送されたシートに画像を形成する画像形成手段と、を有し、
前記挿入装置は、
合紙を給送する合紙給送手段と、
前記合紙給送手段に保持されている合紙の残量を取得する取得手段と、を有し、
前記画像形成装置は、さらに、
前記画像形成装置および前記挿入装置を制御する制御手段を有し、
前記制御手段は、
前記合紙の種類に応じた残量閾値を決定する決定手段と、
前記取得手段により取得された前記合紙の残量が前記残量閾値を超えていなければ、前記シート給送手段の給送モードとして第一モードを選択し、前記取得手段により取得された前記合紙の残量が前記残量閾値を超えていれば、前記シート給送手段の給送モードとして第二モードを選択する選択手段と、を有し、
前記第一モードは、前記シート給送手段から給送されるシートの直前に前記挿入装置により挿入される合紙が前記合紙給送手段に存在していることが確認された後で前記シート給送手段がシートを給送するモードであり、前記第二モードは、前記シート給送手段から給送されるシートの直前に前記挿入装置により挿入される合紙が前記合紙給送手段に存在しているか否かにかかわらず前記シート給送手段がシートの給送を開始するモードであることを特徴とする画像形成システム。
【請求項２】
前記合紙給送手段は、
前記合紙を保持する合紙保持手段と、
前記合紙保持手段に合紙が存在するかどうかを検知する存在検知手段と、を有し、
前記制御手段は、前記第一モードにおいて、前記存在検知手段を用いて前記合紙給送手段に合紙が存在していることを確認することを特徴とする請求項１に記載の画像形成システム。
【請求項３】
前記挿入装置は、
前記合紙給送手段に保持されている合紙の残量に応じて位置が変化する部材と、
前記部材の位置を検知する位置検知手段と、
前記部材の位置に応じて前記合紙の残量を演算する演算手段と、を有することを特徴とする請求項１または２に記載の画像形成システム。
【請求項４】
前記部材に載置されている合紙のうち最も上に積載されている合紙が給送可能位置に位置しているかを検知する合紙検知手段と、
前記合紙検知手段が前記最も上に積載されている合紙が前記給送可能位置に位置していることを検知するまで前記部材を上昇させる上昇手段と、をさらに有し、
前記位置検知手段は、前記部材の上昇量を前記部材の位置として検知することを特徴とする請求項３に記載の画像形成システム。
【請求項５】
前記合紙の種類を検知する種類検知手段をさらに有し、
前記決定手段は、前記種類検知手段により検知された前記合紙の種類に応じた残量閾値を決定することを特徴とする請求項１ないし４のいずれか一項に記載の画像形成システム。
【請求項６】
前記合紙の種類に関する種類情報を入力する入力手段をさらに有し、
前記決定手段は、前記入力手段により入力された前記種類情報に応じた残量閾値を決定することを特徴とする請求項１ないし４のいずれか一項に記載の画像形成システム。
【請求項７】
前記合紙の種類は、一枚の合紙あたりの坪量または厚みであることを特徴とする請求項１ないし６のいずれか一項に記載の画像形成システム。
【請求項８】
前記合紙の種類は、薄紙、普通紙、厚紙を含むことを特徴とする請求項１ないし６のいずれか一項に記載の画像形成システム。
【請求項９】
前記決定手段は、前記合紙の種類を前記残量閾値に変換する変換手段を含むことを特徴とする請求項１ないし７のいずれか一項に記載の画像形成システム。
【請求項１０】
前記制御手段は、前記第一モードにおいて、前記合紙給送手段に前記合紙が存在していることを示す存在確定信号を受信したことに応じて前記合紙給送手段に前記合紙が存在していると判定し、前記存在確定信号を受信していなければ前記合紙給送手段に前記合紙が存在していないと判定する判定手段を有し、
前記制御手段は、前記判定手段が前記合紙給送手段に前記合紙が存在していると判定した後で、前記シート給送手段にシートを給送させ、
前記制御手段は、前記第二モードにおいて、前記合紙給送手段に前記合紙が存在していることを前記判定手段に判定させることなく、前記シート給送手段にシートを給送させることを特徴とする請求項１ないし９のいずれか一項に記載の画像形成システム。
【請求項１１】
画像形成システムであって、
シートに画像を形成する画像形成装置と、
前記画像形成装置が排出するシートの前または後に合紙を挿入する挿入装置と、
前記画像が形成されたシートと前記挿入装置により挿入された合紙を積載する積載装置と、を有し、
前記画像形成装置は、
シートを給送するシート給送手段と、
前記シート給送手段により給送されたシートに画像を形成する画像形成手段と、を有し、
前記挿入装置は、
合紙を給送する合紙給送手段と、
前記合紙給送手段に保持されている合紙の残量に応じて位置が変化する部材と、
前記部材の位置を検知する位置検知手段と、を有し、
前記画像形成装置は、さらに、
前記シート給送手段を制御する制御手段を有し、
前記制御手段は、
前記合紙の種類に応じた位置閾値を決定する決定手段と、
前記部材の位置が前記位置閾値を超えていれば、前記シート給送手段の給送モードとして第一モードを選択し、前記部材の位置が前記位置閾値を超えていなければ、前記シート給送手段の給送モードとして第二モードを選択する選択手段と、を有し、
前記第一モードは、前記シート給送手段から給送されるシートの直前に前記挿入装置により挿入される合紙が前記合紙給送手段に存在していることが確認された後で前記シート給送手段がシートを給送するモードであり、前記第二モードは、前記シート給送手段から給送されるシートの直前に前記挿入装置により挿入される合紙が前記合紙給送手段に存在しているか否かにかかわらず前記シート給送手段がシートの給送を開始するモードであることを特徴とする画像形成システム。
【請求項１２】
画像形成システムであって、
シートに画像を形成する画像形成装置と、
前記画像形成装置が排出するシートの前または後に合紙を挿入する挿入装置と、を有し、
前記画像形成装置は、
シートを給送するシート給送手段と、
前記シート給送手段により給送されたシートに画像を形成する画像形成手段と、を有し、
前記挿入装置は、
合紙を給送する合紙給送手段と、
前記合紙給送手段に保持されている合紙の残量を検知する検知手段と、
前記検知手段により検知された合紙の残量を当該合紙の種類に応じて補正する補正手段と、を有することを特徴とする画像形成システム。
【請求項１３】
前記画像形成装置は、
前記補正手段により補正された前記合紙の残量が残量閾値を超えていなければ、前記シート給送手段の給送モードとして第一モードを選択し、前記補正手段により補正された前記合紙の残量が前記残量閾値を超えていれば、前記シート給送手段の給送モードとして第二モードを選択する選択手段を有し、
前記第一モードは、前記シート給送手段から給送されるシートの直前に前記挿入装置により挿入される合紙が前記合紙給送手段に存在していることが確認された後で前記シート給送手段がシートを給送するモードであり、前記第二モードは、前記シート給送手段から給送されるシートの直前に前記挿入装置により挿入される合紙が前記合紙給送手段に存在していることを確認する工程をスキップして前記シート給送手段がシートを給送するモードであることを特徴とする請求項１２に記載の画像形成システム。
【手続補正２】
【補正対象書類名】明細書
【補正対象項目名】０００６
【補正方法】変更
【補正の内容】
【０００６】
本発明によれば、たとえば、
シートに画像を形成する画像形成装置と、
前記画像形成装置が排出するシートの前または後に合紙を挿入する挿入装置と、
前記画像が形成されたシートと前記挿入装置により挿入された合紙を積載する積載装置と、を有し、
前記画像形成装置は、
シートを給送するシート給送手段と、
前記シート給送手段により給送されたシートに画像を形成する画像形成手段と、を有し、
前記挿入装置は、
合紙を給送する合紙給送手段と、
前記合紙給送手段に保持されている合紙の残量を取得する取得手段と、を有し、
前記画像形成装置は、さらに、
前記画像形成装置および前記挿入装置を制御する制御手段を有し、
前記制御手段は、
前記合紙の種類に応じた残量閾値を決定する決定手段と、
前記取得手段により取得された前記合紙の残量が前記残量閾値を超えていなければ、前記シート給送手段の給送モードとして第一モードを選択し、前記取得手段により取得された前記合紙の残量が前記残量閾値を超えていれば、前記シート給送手段の給送モードとして第二モードを選択する選択手段と、を有し、
前記第一モードは、前記シート給送手段から給送されるシートの直前に前記挿入装置により挿入される合紙が前記合紙給送手段に存在していることが確認された後で前記シート給送手段がシートを給送するモードであり、前記第二モードは、前記シート給送手段から給送されるシートの直前に前記挿入装置により挿入される合紙が前記合紙給送手段に存在しているか否かにかかわらず前記シート給送手段がシートの給送を開始するモードであることを特徴とする画像形成システムが提供される。
【手続補正３】
【補正対象書類名】明細書
【補正対象項目名】００３４
【補正方法】変更
【補正の内容】
【００３４】
操作者がいずれか一つのサイズに対応したソフトキー８４１を押下し、かつ、「ＯＫ」のソフトキー８４２を押下すると、ＣＰＵ２０１は、初期ＵＩ８０１を表示装置３１０に表示させる。ＣＰＵ２０１は、押下されたソフトキー８４１に対応するサイズ情報をＲＡＭ２０３に記憶させる。操作者が「戻る」のソフトキーを押下すると、ＣＰＵ２０１は種類設定ＵＩ８０３を表示装置３１０に表示させる。給送段設定ＵＩ８０２で操作者が「カセット１」のソフトキー８２４を押下すると、ＣＰＵ２０１は、画像形成装置１００の給送段に収納されるシートＳの種類とサイズの設定を受け付ける。
【手続補正４】
【補正対象書類名】明細書
【補正対象項目名】００４４
【補正方法】変更
【補正の内容】
【００４４】
＜まとめ＞
画像形成装置１００のシート収納庫１０３やピックアップローラ１０１はシートＳを給送するシート給送手段の一例である。ステーション１２０〜１２３はシート給送手段により給送されたシートに画像を形成する画像形成手段の一例である。インサータ１７０の給送部は合紙を給送する合紙給送手段の一例である。ＣＰＵ５７２や上昇量センサ４７７は合紙給送手段に保持されている合紙の残量を取得する取得手段の一例である。ＣＰＵ２０１やＣＰＵ５７２は、画像形成装置１００およびインサータ１７０などを制御する制御手段の一例である。Ｓ１００２が示すように、ＣＰＵ２０１は合紙の種類に応じた残量閾値を決定する決定手段を有している。Ｓ１００３〜Ｓ１００５が示すようにＣＰＵ２０１は給送モードの選択手段を有している。つまり、ＣＰＵ２０１は、取得手段により取得された合紙の残量が残量閾値を超えていなければ、シート給送手段の給送モードとして第一モードである確定モードを選択する。ＣＰＵ２０１は、取得手段により取得された合紙の残量が残量閾値を超えていれば、シート給送手段の給送モードとして第二モードである見切モードを選択する。第一モードは、シート給送手段から給送されるシートの直前に挿入装置により挿入される合紙が合紙給送手段に存在していることが確認された後でシート給送手段がシートを給送するモードである。第二モードは、シート給送手段から給送されるシートの直前に挿入装置により挿入される合紙が合紙給送手段に存在していることを確認する工程をスキップしてシート給送手段がシートを給送するモードである。このように、本実施例によれば、合紙の残量に応じて適切に給送モードを選択することが可能となる。その結果、合紙が無くなったときのトラブルが未然に防止され、かつ、生産性の低下も抑制されよう。